(57)【要約】      （修正有）【課題】歯とマトリックスを広い範囲で正確に密着させることができる歯科用ウェッジを提供する。【解決手段】複数のフィラメントが不規則に配向されたフィラメントの線状の集合体であって、弾性的に伸縮可能であり、かつ張力の作用下で断面積が減少する本体部１と、前記本体部１の先端側に形成され、前記本体部１よりも細径の針状のスレッダー部２とを備えており、前記本体部１と同じ材料で形成され、前記本体部１よりも太径の引っ掛け部３が前記本体部１の適所に形成されていることを特徴とする歯科用ウェッジ。【選択図】図１
0003179039.tif 000002
【実用新案登録請求の範囲】
【請求項１】
複数のフィラメントが不規則に配向されたフィラメントの線状の集合体であって、弾性的に伸縮可能であり、かつ張力の作用下で断面積が減少する本体部と、
前記本体部の先端側に形成され、前記本体部よりも細径の針状のスレッダー部と
を備えており、
前記本体部と同じ材料で形成され、前記本体部よりも太径の引っ掛け部が前記本体部の適所に形成されていることを特徴とする歯科用ウェッジ。
【請求項２】
前記引っ掛け部は、前記本体部の一部を結索することによりこぶ状に形成されていることを特徴とする請求項１に記載の歯科用ウェッジ。
【請求項３】
前記引っ掛け部は、前記本体部の一部に軟質樹脂を含浸させて錐状に成型することによりこぶ状に形成されていることを特徴とする請求項１に記載の歯科用ウェッジ。
【請求項４】
前記スレッダー部は、前記本体部の先端側のフィラメントを解れないように樹脂で接着することにより形成されていることを特徴とする請求項１ないし請求項３のいずれか１項に記載の歯科用ウェッジ。
【請求項５】
前記本体部の中間部は、ハンモック状に湾曲し、前記引っ掛け部は前記本体部の末端に形成されていることを特徴とする請求項１ないし請求項４のいずれか１項に記載の歯科用ウェッジ。
【考案の詳細な説明】
【技術分野】
【０００１】
本考案は、マトリックスを固定するために使用される歯科用ウェッジに関するものである。
【背景技術】
【０００２】
歯科治療において、歯と歯の間の部分（以下、隣接面と表記）にコンポジットレジン樹脂（以下、ＣＲと表記）を充填する際に、元の歯の形態が過不足なく回復するために、プラスチックテープや金属箔等で形成されたマトリックスが用いられる。そして、マトリックスを使用するに際しては、マトリックスを歯の側面に密着させるためにウェッジを用いてマトリックスを歯に固定する。
【０００３】
すなわち、マトリックスは、特に歯と歯茎の境目の部分で、何らかの固定手段を採用しないと、歯に沿わせることが難しく、正確に固定できない場合にはＣＲと歯の繋ぎ目に段差が生じたり、余分な部分にＣＲがはみ出したり、形態が不整になったりするため、それを抑えるためにウェッジが使用される。
【０００４】
ウェッジとしては、図５（ａ）に示すくさび状の木製ウェッジＡ１が提案され、また、図５（b）に示すくさび状のプラスチック製ウェッジＡ２が提案されていた。
【０００５】
しかし、木製ウェッジＡ１やプラスチック製ウェッジＡ２は硬質であるため、マトリックスと１点あるいは狭い範囲で接触するに留まり、滑りやすくマトリックスへの押え力が弱いという問題がある。また、歯間の間隔の大きさに応じて多種サイズのウェッジを用意する必要があり、歯間の間隔は狭い場合にはウェッジを挿入することができず、また、ＣＲの充填位置が歯肉に近い場合ないし歯肉より低い位置の場合、マトリックスの最下点をマトリックスの形態を歪ませることなく正確に押えることができないという問題があった。
【０００６】
また、図５（c）に示すように、ウレタンゴム製のウェッジＡ３が提案されていた。かかるウェッジＡ３は柔軟性があるため、ある程度の範囲でマトリックスを押えることができるが、所定の設置位置で保持するのに手間がかかり、また、断面円形のウェッジＡ３に沿ってマトリックスが歪み、さらに、サイズの種類が少ないため、使用可能な場所が限定され、歯肉より低い位置では押えられないという問題があった。
【０００７】
また、図５（d）に示すように、８の字形状のゴム製ウェッジＡ４が提案されていた。かかるウェッジＡ４は、図５（ｅ）に示すように２つの穴に専用の器具を差し込んで両側に引き伸ばして、図５（f）に示すように、歯間に設置する。なお、図中のＭはマトリックスである。
【０００８】
しかし、専用の器具が必要となり、マトリックスＭを押えるためにウェッジＡ４に加えるテンションの微調整とウェッジＡ４の設置の方向性のコントロールが困難であり、マトリックスを歪ませることがある。また、ウェッジＡ４を取り外すときには、真ん中のくびれ部分で切断しなければならないため、取り外し作業が面倒になり、さらには、歯肉より低い位置では押えられないという問題があった。
【０００９】
なお、その他にも種々の歯科用ウェッジを提案されていたが（例えば、特許文献１）、上記の問題の解決には至っていなかった。
【００１０】
そこで、本考案者は、かかる従来のウェッジの問題点を解決することができるウェッジを考案するに至った。
【先行技術文献】
【特許文献】
【００１１】
【特許文献１】特表２００８−５２９６９３号公報
【考案の概要】
【考案が解決しようとする課題】
【００１２】
本願考案が解決しようとする課題は、（１）歯とマトリックスを広い範囲で正確に密着させることができ、（２）１種類のウェッジですべての隣接面充填症例に対応することができ、（３）マトリックスが入る限り、歯間の隙間がどのような狭さでも使用でき、（４）ＣＲを充填する位置が歯肉に近い場合ないし歯肉より低い位置の場合であっても、マトリックスの最下点をマトリックスの形態を歪ませることなく正確に押えることができる歯科用ウェッジを提供することである。
【課題を解決するための手段】
【００１３】
本願考案者は、上記のように、従来技術が有する各種の問題点に鑑み、鋭意検討を重ねて歯科用ウェッジを完成させたものである。
＊＊＊＊＊＊＊＊＊＊＊＊＊＊＊＊＊＊＊＊＊＊＊＊＊＊＊＊＊＊＊＊＊＊＊＊＊＊＊＊
本願の明細書、実用新案登録請求の範囲等に記載の用語についての解釈上の疑義を解消すべく、以下本願明細書、実用新案登録請求の範囲等に記載する用語の説明を行うこととする。
＜用語の説明＞
●「ウェッジ」とは、 歯間に挿入して楔として機能することによりマトリックスを歯の側面に固定する器具である。
●「スレッダー」とは、歯科用ウェッジを歯間に挿入し易くするために使用されるものである。
＊＊＊＊＊＊＊＊＊＊＊＊＊＊＊＊＊＊＊＊＊＊＊＊＊＊＊＊＊＊＊＊＊＊＊＊＊＊＊＊
【００１４】
課題を解決するための手段（第１考案〜第５考案）は、本願、実用新案登録請求の範囲の各請求項に記載の考案であり、具体的には、
第１考案は、請求項１に記載の考案であり、
第２考案は、請求項２に記載の考案であり、
第３考案は、請求項３に記載の考案であり、
第４考案は、請求項４に記載の考案である。
第５考案は、請求項５に記載の考案である。
具体的な課題を解決するための手段は、以下の通りである。
【００１５】
請求項１に記載の考案は、
複数のフィラメントが不規則に配向されたフィラメントの線状の集合体であって、弾性的に伸縮可能であり、かつ張力の作用下で断面積が減少する本体部と、
前記本体部の先端側に形成され、前記本体部よりも細径の針状のスレッダー部と
を備えており、
前記本体部と同じ材料で形成され、前記本体部よりも太径の引っ掛け部が前記本体部の適所に形成されていることを特徴とする歯科用ウェッジである。
【００１６】
請求項２に記載の考案は、
前記引っ掛け部は、前記本体部の一部を結索することによりこぶ状に形成されていることを特徴とする請求項１に記載の歯科用ウェッジである。
【００１７】
請求項３に記載の考案は、
前記引っ掛け部は、前記本体部の一部に軟質樹脂を含浸させて錐状に成型することによりこぶ状に形成されていることを特徴とする請求項１に記載の歯科用ウェッジである。
【００１８】
請求項４に記載の考案は、
前記スレッダー部は、前記本体部の先端側のフィラメントを解れないように樹脂で接着することにより形成されていることを特徴とする請求項１ないし請求項３のいずれか１項に記載の歯科用ウェッジである。
【００１９】
請求項５に記載の考案は、
前記本体部の中間部は、ハンモック状に湾曲し、前記引っ掛け部は前記本体部の末端に形成されていることを特徴とする請求項１ないし請求項４のいずれか１項に記載の歯科用ウェッジである。
【考案の効果】
【００２０】
本願考案に係る、歯科用ウェッジは、上記のような特徴的構成要件から構成され、特徴的構成要件に応じた、以下のような本願考案特有の効果を奏する。また、上記のような特徴的構成要件から構成された歯科用ウェッジによれば、本願考案の課題を十分解消することができた。
すなわち、第１の考案によれば、
「複数のフィラメントが不規則に配向されたフィラメントの線状の集合体であって、弾性的に伸縮可能であり、かつ張力の作用下で断面積が減少する本体部と、
前記本体部の先端側に形成され、前記本体部よりも細径の針状にスレッダー部と
を備えており、
前記本体部と同じ材料で形成され、前記本体部よりも太径の引っ掛け部が前記本体部の適所に形成されている」という特徴的構成要件により、
（１）歯とマトリックスを広い範囲で正確に密着させることができ、（２）１種類のウェッジですべての隣接面充填症例に対応することができ、（３）マトリックスが入る限り、歯間の隙間がどのような狭さでも使用でき、（４）ＣＲを充填する位置が歯肉に近い場合ないし歯肉より低い位置の場合であっても、マトリックスの最下点をマトリックスの形態を歪ませることなく正確に押えることができる歯科用ウェッジを提供するという、課題を解決することができた。
すなわち、本考案の歯科用ウェッジは、フィラメントの集合体から弾性変形性に富む引っ掛け部（こぶ）を形成することにより、引っ掛け部が歯とマトリックスの間に深く入り込むことができるため、歯とマトリックスを広い範囲で正確に密着させる。
この結果、上記の従来の問題点を解決して虫歯治療を向上させることができるという顕著な効果を有するものであり、本考案の特徴的構成要件は、いずれの先行文献にも記載されておらず、極めて有用な技術である。
【００２１】
また、第２の考案によれば、
「前記引っ掛け部は、前記本体部の一部を結索することによりこぶ状に形成されている」という特徴的構成要件により、
また、第３の考案によれば、
「前記引っ掛け部は、前記本体部の一部に軟質樹脂を含浸させて錐状に成型することによりこぶ状に形成されている」という特徴的構成要件により、
また、第４の考案によれば、
「前記スレッダー部は、前記本体部の先端側のフィラメントを解れないように樹脂で接着することにより形成されている」という特徴的構成要件により、
さらに簡単かつ容易に歯科用ウェッジを製造することができる。
【００２２】
また、第５の考案によれば、
「前記本体部は、ハンモック状に湾曲し、前記引っ掛け部は前記本体部の末端に形成されている」という特徴的構成要件により、
狭い口腔内であっても、さらに使い勝手が良い歯科用ウェッジを提供することができる。
【図面の簡単な説明】
【００２３】
【図１】本考案の実施の形態の歯科用ウェッジを模式的に示した図である。
【図２】本考案の実施の形態の歯科用ウェッジの使用状態を示す図である。
【図３】本考案の実施の形態の歯科用ウェッジの使用説明図である。
【図４】本考案の実施の形態の歯科用ウェッジの使用説明図である。
【図５】従来の歯科用ウェッジを示す図である。
【考案を実施するための形態】
【００２４】
以下、本考案を実施の形態に基づき図面を参照しつつ説明する。
【００２５】
図１は本実施の形態の歯科用ウェッジを模式的に示した図であり、図２は本実施の形態の歯科用ウェッジの使用状態を示す図である。
【００２６】
図１に示すように、歯科用ウェッジＡは、線状の本体部１と、本体部１の先端側に形成され、本体部１よりも細径の針状のスレッダー部２とを備えており、本体部１の端末部には本体部１よりも太径の引っ掛け部３が形成されている。
【００２７】
本体部１は、清掃用デンタルフロスと同じように構成されている。すなわち、複数のフィラメントが不規則に配向されたフィラメントの集合体であって、弾性的に伸縮可能であり、かつ張力の作用下で断面積が減少するように構成されている。例えば、ナイロン（商標名）、ポリエステル、ポリプロピレンなどで形成されたフィラメントを複数本束ねることにより構成されており、このフィラメントとしては、例えば、１〜１０ｄｔｅｘ(デシテックス)のモノフィラメントを集合させて３００〜１２００ｄｔｅｘとしたものが考えられる。
【００２８】
なお、本体部１は、その中間部がハンモック状に湾曲するように形成されている。
【００２９】
引っ掛け部３は、端末部を結索することによりこぶ状に形成されており、結び方については、ウェッジＡとして機能するものであれば、特に限定されるものではない。また、引っ掛け部３は、端末部に軟質樹脂を含浸させて、円錐状や三角錐状に成型することによりくさび形状のこぶが形成されるものであってもよい。
【００３０】
スレッダー部２は、本体部１の先端側に樹脂液を含浸させてテンションを加えた針状にした状態で硬化させることにより、本体部１よりも細径で、弾力性を有する針状に形成されている。
【００３１】
図２は本実施の形態の歯科用ウェッジの使用状態を示す図であり、図３および図４は本実施の形態の歯科用ウェッジの使用説明図である。
【００３２】
図３に示すように、マトリックスＭを歯４の側面に押し当てた状態で歯科用ウェッジＡのスレッダー部２を歯４間に挿入した後、図４に示すように、スレッダー部２を歯４間を通過させることにより、本体部１の引っ掛け部３を歯４間に食い込ませる。
【００３３】
これにより、図２および図４に示すように、引っ掛け部３がくさびとして機能するのに加え、引っ掛け部３を固定源として、本体部１ないしスレッダー部２を手指またはピンセット等で把持し牽引することにより、歯科用ウェッジＡにコントロールされたテンションと方向性を与え、ハンモック状の本体部１の特性を活かすことができる。すなわち、本体部１ないしスレッダー部２をゆるく引っ張ることで本体部１をテープ状の状態で幅広くマトリックスＭを押えたり、強く引っ張って本体部１を細い糸状にして歯肉よりも低い位置でマトリックスＭを押えることができ、状況に応じた多彩な使い方が可能になり、マトリックスＭを所定の位置に確実に固定することができる。
【００３４】
そして、この状態では、フィラメントの集合体が収縮することにより、引っ掛け部３がマトリックスＭの広い範囲にわたって密着して歯４とマトリックスＭとを広い範囲で正確に密着させることができる。
【００３５】
また、弾性的に伸縮可能であり、かつ張力の作用下で断面積が減少するというフィラメントの集合体の性質を利用することにより、１種類のウェッジＡですべての隣接面充填症例に対応することができ、マトリックスＭが入る限り、歯４間の隙間がどのような狭さでも使用でき、さらには、ＣＲを充填する位置が歯肉５に近い場合ないし歯肉５より低い位置の場合であっても、マトリックスＭの最下点をマトリックスＭの形態を歪ませることなく正確に押えることができる。
【００３６】
以上、本考案を実施の形態に基づいて説明したが、本考案と均等の範囲内において、変更することができる。
【符号の説明】
【００３７】
Ａ            ウェッジ
Ｍ            マトリックス
１            本体部
２            スレッダー部
３            引っ掛け部
４            歯
５            歯肉
Ａ１〜Ａ４    従来のウェッジ
【図１】
0003179039.tif 000003
【図２】
0003179039.tif 000004
【図３】
0003179039.tif 000005
【図４】
0003179039.tif 000006
【図５】
0003179039.tif 000007